(57)【要約】【課題】  ドアの下端面とフロア面との隙間が大きくても、小さくてもドアを確実に固定でき、コストアップを防止して汎用性を高めたドアストッパを提供する。【解決手段】  ドアストッパ１は、回動自在なドア３の回動側の下方部に取付けたフラップ受部１０と、フラップ受部の回動軌跡の下方のフロア面５に取付けられ、常時は平坦で固定時に突出自在としたフラップ２１を有するフラップ装置２０とから構成され、フラップ２１をフラップ受部１０で磁気吸着しドアの回動を規制して固定するものであり、フラップ受部１０は、ドアに固定されるベース体１１とフラップを吸着する吸着部材１５とが相対的に回動可能である。これにより、吸着部材１５を、ベース体１１に対して回動させ、フラップ受部１０をドアの下端面３ａまたは立面３ｂの下端近傍に選択的に取付ける。【選択図】  図６
2005200856.tif 000002
【特許請求の範囲】
【請求項１】
回動自在なドアの回動側の下方部に取付けたフラップ受部と、該フラップ受部の回動軌跡の下方のフロア面に取付けられ、常時は平坦で固定時に突出自在としたフラップを有するフラップ装置とから構成され、前記フラップを前記フラップ受部で磁気吸着し前記ドアの回動を規制して固定するドアストッパであって、
前記フラップ受部は、ドアに固定されるベース体と前記フラップを吸着する吸着部材とが相対的に回動可能であることを特徴とするドアストッパ。
【請求項２】
前記フラップ受部とフラップ装置のフラップとの少なくとも一方には磁石を配設し、その他方を磁性体で形成したことを特徴とする請求項１に記載のドアストッパ。
【請求項３】
前記フラップ受部は、吸着面を有するブロック状の吸着部材と該吸着部材の両側に位置する２つのベース体とから構成されることを特徴とする請求項１または２に記載のドアストッパ。
【請求項４】
前記ベース体は、回動中心から所定の距離に固定面を有し、前記吸着部材は、回動中心から前記所定の距離と等しい距離に位置して互いに直交する２つの規制面を備えており、該規制面のいずれかをドアの立面の下端近傍または下端面に対接させて位置決めされることを特徴とする請求項１〜３のいずれかに記載のドアストッパ。
【発明の詳細な説明】
【技術分野】
【０００１】
本発明は、住宅等で使用する回動可能のドアを開放時に固定維持するドアストッパに係り、特に、フロア面等に固定されフラップが突出可能のフラップ装置と、ドア側に固定され突出したフラップを受けてドアの回動を規制するフラップ受部とを備えるドアストッパに関する。
【背景技術】
【０００２】
従来、この種のドアの戸当たり装置としては、フックを戸当たり本体に掛止めてドアの煽りを防止するドア側に取付けたフック金具において、フック金具の取付体に設けたフック軸受孔を回動孔とその下部に連設した静止溝に形成し、これに嵌入するフックの両端軸部を回動可能な回動孔と、回動不能な静止溝に選択的に切換え係合するように構成している（例えば、特許文献１参照）。
【０００３】
また、この種のドアストッパの他の例としては、回動自在なドアの回動側端部の下端部にフラップ受け部を設け、フラップ受け部の回動軌跡の下方の床に上下に回動自在としたフラップを配置してあり、フラップを配置する床にフラップが収納されてその上方をドアの回動端部が通過可能にする収納凹部を形成して構成されている（例えば、特許文献２参照）。
【特許文献１】実開平６−８２３６３号公報
【特許文献２】特開２００３−９７１３１号公報
【発明の開示】
【発明が解決しようとする課題】
【０００４】
ところで、前記特許文献１に記載のドアの戸当たり装置は、ドアの下端面と床面との間の隙間が大きくなり、この隙間が戸当たり本体の高さより大きくなるとドアを係止固定することができず、ドアは戸当たり本体の上部を通過して壁面等にぶつかって停止するため、戸当たり装置として機能しない。
【０００５】
また、前記特許文献２に記載のドアストッパは、ドアの下端面とフロア面との隙間が通常、１０ｍｍ程度に設定されており、この隙間が大きくなるとフラップを吸着する磁石の磁力の限界によりフラップを吸着することができず、ドアを固定できない虞があった。２００３年７月の建築基準法の改正により、２４時間強制換気することが義務付けられたため、ドア下端面とフロア面との隙間を大きく設定することがあり、この隙間が１５ｍｍ以上になるとフラップを吸着できずドアを固定できない。隙間が大きい場合でもフラップを吸着できるように磁石の磁力を強くすることが考えられるが、磁石がコストアップしてしまうという問題点が生ずる。
【０００６】
本発明は、このような問題に鑑みてなされたものであって、その目的とするところは、ドアの下端面とフロア面との隙間が大きくても、小さくてもドアを確実に固定できるドアストッパを提供することにある。すなわち、フラップを吸着する吸着面を移動して前記の隙間が大きいときでも、小さいときでも確実にドアを固定できるドアストッパを提供することにある。そして、ドアストッパの汎用性を高めることができ、コストの上昇を防ぐことができる。
【課題を解決するための手段】
【０００７】
前記目的を達成すべく、本発明に係るドアストッパは、回動自在なドアの回動側の下方部に取付けたフラップ受部と、このフラップ受部の回動軌跡の下方のフロア面に取付けられ、常時は平坦で固定時に突出自在としたフラップを有するフラップ装置とから構成され、フラップをフラップ受部で磁気吸着しドアの回動を規制して固定するドアストッパであって、フラップ受部は、ドアに固定されるベース体とフラップを吸着する吸着部材とが相対的に回動可能であることを特徴とする。このように構成されるフラップ受部をドアの下端面または立面の下端近傍に選択的に取付けて固定する。
【０００８】
前記のごとく構成された本発明のドアストッパは、フロア面とドア下端面との隙間が大きくなってもフラップ受部の取付け状態を変更し、ドア下端面の木口部分にフラップ受部を取付けることによりフラップ装置に接近させることができ、フラップをフラップ受部の吸着部で磁気的に吸着してドアを確実に固定することができる。このため、フロア面とドア下面との隙間に合わせてフラップ受部を複数用意する必要がなく、ドアストッパの汎用性を高めることができる。また、磁気的に吸着させる磁石の磁力を高める必要がないため、コストの上昇を防ぐことができる。
【０００９】
また、本発明に係るドアストッパの好ましい具体的な態様としては、前記フラップ受部とフラップ装置のフラップとの少なくとも一方には磁石を配設し、その他方を磁性体で形成したことを特徴としている。フラップ受部に磁石を設置し、フラップを磁性体で形成することが好ましい。このように構成すると、フラップを支持するフラップ装置を薄型にでき、フロア面からの突出量を少なくできて好ましい。
【００１０】
さらに、本発明に係るドアストッパの好ましい具体的な他の態様としては、前記フラップ受部は、吸着面を有するブロック状の吸着部材と該吸着部材の両側に位置する２つのベース体とから構成されることを特徴としている。ベース体は、金属板材を屈曲した略Ｌ字状をしていると好ましく、これによりフラップ受部の構成を簡略化することができ、ドアストッパのコストダウンを達成できる。
【００１１】
また、前記ベース体は、回動中心となる例えば支持軸から所定の距離に固定面を有し、前記吸着部材は、回動中心となる支持軸から前記所定の距離と等しい距離に位置して互いに直交する２つの規制面を備えており、この規制面のいずれかをドアの立面の下端近傍または下端面に対接させて吸着部材を位置決めすると好適である。このように吸着部材の外周面の２つの規制面をドアの立面または下端面に対接させることで吸着部材のがたつきを防止でき、簡単な構成でドアの停止状態を安定させることができる。
【発明の効果】
【００１２】
本発明によれば、ドア下端面とフロア面との隙間の大小に拘わらず、フラップを磁気吸着する吸着面の位置を変えることでドアを確実に固定することができる。すなわち、フロア面とドア下端面との隙間が小さい場合には、フラップ受部をドアの立面の下端近傍に取付けてフラップを磁気吸着してドアを固定するようにし、隙間が大きい場合には、フラップ受部をドアの下端面に取付けてフラップを磁気吸着してドアを固定することで、フラップの吸着状態を安定させてドアを確実に停止させることができる。このように、ドア下端面とフロア面との隙間が異なる場合でもドアを確実に固定でき、ドアストッパの汎用性を高めることができる。また、２００３年７月の建築基準法の改正で室内換気のためにドアとフロア面との隙間を大きくする場合でも、容易に対応することができる。
【発明を実施するための最良の形態】
【００１３】
以下、本発明に係るドアストッパの一実施形態を図面に基づき詳細に説明する。図１は本実施形態のドアストッパの取付け状態を示す概略平面図である。図１において、ドアストッパ１は、壁面２の開口部に回動自在に固定されたドア３の回動側の下方部に取付けたフラップ受部１０と、このフラップ受部の回動軌跡４の下方のフロア面５に取付けられたフラップ装置２０とから構成され、フラップ装置２０は常時は平坦で固定時に突出自在としたフラップ２１を有し、フラップ２１をフラップ受部１０で磁気吸着し、ドア３の回動を規制して固定するものである。すなわち、ドア３を一定角度以上回動しないようにストッパとして機能するものである。
【００１４】
先ず、ドアストッパ１の一方の部材を構成するフラップ受部１０について詳細に説明する。図２は、本実施形態に係るドアストッパのフラップ受部の正面図、Ａ−Ａ線断面図、Ｂ−Ｂ線断面図、図３は、図２のフラップ受部の分解斜視図、図４は、図２，３に示すフラップ受部のベース部を回動させた状態を示し、ドア立面への取付け状態およびドア下端面への取付け状態の斜視図である。
【００１５】
図２〜４において、フラップ受部１０はドア３の下端面３ａや立面３ｂの下端近傍に固定されるベース体１１，１１と、２つのベース体に対して回動可能に支持され、フロア面５に固定されたフラップ装置２０のフラップ２１を磁気吸着する吸着部材１５とを備えている。ベース体１１，１１は金属鋳物やプラスチックで形成され、吸着部材１５を挟む支持部と、ドア等に固定する固定部とを有する断面が略Ｌ字状をしている。
【００１６】
ベース体１１の支持部には吸着部材１５を回動可能に支持する支持軸１６が挿入される支持孔１１ａが形成され、固定部にはベース体をドア３に固定する固定ねじ６が挿入される縦長の長孔１２が形成されている。支持孔１１ａの中心と固定部の固定面１１ｂとの距離は所定の距離Ｌに設定されている。フラップ受部１０は、このように中央に位置してフラップ２１を磁気吸着する吸着部材１５と、この吸着部材の両側に位置する２つのベース体１１，１１とから構成され、２つのベース体は吸着部材１５を挟んでドア３等に固定するものであり、ベース体と吸着部材とは相対的に回動可能である。
【００１７】
吸着部材１５は立方体や直方体のブロック状をしており、６面のうちの対向する２面がベース体１１，１１と対接する平坦面で中央に支持軸１６が挿入される中心孔１５ａが形成され、他の４面のうちの１面が凹傾斜面１５ｂとなっている。吸着部材１５の幅はＷ１（図２ａ参照）であり、凹傾斜面１５ｂの幅もＷ１に設定されている。この凹傾斜面１５ｂにフェライト等の磁石１７が傾斜状態に接着等により固定されている。磁石１７の表面がフラップを吸着する吸着面であり、本実施形態では吸着面の傾斜角度は１５〜２０度程度に設定されている。凹傾斜面１５ｂと連続する急傾斜面１５ｃとは９０度程度の角度で交差することが好ましい。この急傾斜面は凹傾斜面でフラップ２１を吸着しているときに、フラップの突出側の端面が当接してドアの回動を停止するものである。
【００１８】
支持軸１６は両端の縮径部がベース体１１，１１の支持孔１１ａ，１１ａに挿入され、例えばセンターポンチ等でカシメられている。なお、カシメに限らず圧入で固定してもよい。ベース体１１，１１と吸着部材１５との回動は緩くても、固くてもよく、間にゴムパッキングや座金を介在させ、摩擦的に保持するようにしてもよい。また、摩擦力を付与する際には、吸着部材の側面とベース体の対接面との間で付与するか、あるいは吸着部材の中心孔と支持軸との間で付与することができる。
【００１９】
吸着部材１５は回動中心となる中心孔１５ａから等しい距離Ｌに位置し互いに直交する２つの平坦な規制面１５ｄ，１５ｅを備えている。すなわち、ブロック状の吸着部材１５の中心孔１５ａと平行な４つの面の内の一面には、前記のように凹傾斜面１５ｂおよび急傾斜面１５ｃが形成され、この一面に隣接する外周平坦面は規制面１５ｄであり、凹傾斜面１５ｂと対向する外周平坦面は規制面１５ｅである。規制面１５ｄ，１５ｅは支持軸１６が挿入される中心孔から等しい距離Ｌに設定され、互いに直交する。これらの規制面１５ｄ，１５ｅは、フラップ受部１０をドア３に取付けるときに、ドアの下端面３ａまたは立面３ｂに密着して対接するため、取付け時に吸着部材１５が位置決めされて回動するのを防止すると共に、吸着部材のがたつきを防止する機能を有する。
【００２０】
ドアストッパ１の他方を構成するフラップ装置２０は、前記のようにフローリング床等のフロア面５に固定され、図５に示されるように厚さが４〜５ｍｍ程度の平面形状が円形をした基板２２と、基板２２の中央部に段差部が形成され、この段差部内に突出可能に位置する前記のフラップ２１とを備えている。基板２２の厚さはドア３の下端面３ａと、フロア面５との隙間より小さい厚さに設定され、フラップ装置２０の上をドア３が通過可能となっている。
【００２１】
フラップ２１は磁性材として例えばステンレス板等の金属板材から形成されており、一端側に固着した軸部２１ａが基板２２の軸受部（図示せず）で揺動可能に支持されており、表面から突出可能となっている。フラップ２１は常時は自重で基板２２の段差部内に位置しており、平坦で突出しない状態であり、通行等の邪魔にならないような形状をしている。基板２２には２つの取付け孔２２ａが形成され、この孔に皿頭の木ねじ（図示せず）を挿入してフラップ装置２０をフロア面５に取付けることができる。
【００２２】
フラップ２１はドア３の下方部に取付けられたフラップ受部１０に磁気的に吸着されてドア３を停止させるもので、所定の強度を必要としており、本実施形態では厚さが１〜１．５ｍｍ程度の金属板材の一端部を軸受部としており、他端部が突出できる構成となっている。基板２２の上面外周には面取り加工が施され、歩行等の際の躓きを防止している。フラップ２１の幅Ｗ２はフラップ受部１０の凹傾斜面１５ｂの幅Ｗ１より小さく設定され、フラップが突出したときに凹傾斜面内に挿入しやすいように構成されている。
【００２３】
本実施形態では、フラップ２１の下面に溶接等で軸部２１ａを固着し、この軸部を基板２２の受部で支持することにより、フラップ２１が突出できる構成となっているが、フラップの支持構造はこの例に限られるものでなく、例えば図５ｄに示されるように、フラップ２１Ａの一端側に一体的に段差を有して軸部２１ｂ，２１ｂを形成し、この軸部を基板の受部で支持するようにすることもできる。また、別部材のヒンジや蝶番を用いて、突出できるように構成することもできる。
【００２４】
前記の如く構成された本実施形態のドアストッパ１の動作について、図６を参照して以下に説明する。ドアストッパ１を設置するときには、フロア面５とドア３の下端面（底面）３ａとの隙間Ｈ１が小さいとき、例えば１５ｍｍ以下の場合は、フラップ受部１０をドア３の立面３ｂの下端近傍に固定する。この場合、フラップ受部１０は吸着部材１５の傾斜した磁石１７の吸着面が下方を向いているときに、ベース体１１の固定面１１ｂがドア立面３ｂ方向を向くように回動させる。これによりフラップ受部１０を横から見たときに磁石１７の吸着面と固定面１１ｂとが交差する状態（図４ａ）に設定され、図６ａのようにドア３の立面３ｂに取付けられる。
【００２５】
ドア３を回動し、フラップ受部１０をフラップ装置２０の上方に位置させると、磁石１７の磁力によりフラップ２１は磁気吸引され、下端の吸着面に吸着される。フラップ受部１０とフラップ装置２０とは近接して取付けられているため、通常の磁石により確実に吸着させることができる。フラップ受部１０の磁石１７の吸着面は例えば１５〜２０度程度の角度で傾斜しており、フラップ装置２０のフラップ２１が同じ角度で突出したときに磁気吸着されると吸着状態が安定し、ドア３を確実に停止させることができる。
【００２６】
また、磁石１７の吸着面の傾斜角度と、フラップ２１が吸着部材１５に磁気吸着されたときの角度が一致しない場合は、フラップ２１が面で吸着されないため吸着状態が安定しないが、フラップ受部１０の取付け位置は長孔１２と固定ねじ６により上下方向に微調整することができるため、フラップ受部１０の取付け位置を上下動させることにより、磁石１７の傾斜角度とフラップ２１の吸着時の角度を一致させることができ、吸着状態を安定させることができる。
【００２７】
フラップ受部１０がフラップ２１を吸着した状態でドア３を手前（Ｘ方向）に引くと、磁石１７はフラップ２１の傾斜面に沿って移動し、磁石１７がフラップ２１から離れるとフラップは自重で落下し、フラップ装置２０は平坦になってドア３はフリー状態となり、フラップ装置２０の上部を自由に回動させることができる。また、フラップ２１の露出している部分を脚等で押圧し押し込むことにより磁石１７とフラップ２１との磁気吸着を解除でき、ドアをフリーの状態とすることができる。ドア３をＸ方向と逆の方向に押すと、フラップ２１の先端が凹傾斜面と連続する急傾斜面１５ｃに当接し、ドア３の回動を阻止する。
【００２８】
フロア面５とドア下端面３ａとの隙間Ｈ２が大きいとき、例えば１５ｍｍ以上で隙間内にフラップ受部１０とフラップ装置２０とが一定の間隔を有して設置できる場合は、フラップ受部１０はドア３の下端面３ａに固定される。このときにはフラップ受部１０は、吸着部材１５に固定した磁石１７の傾斜した吸着面が下方を向いているときに、ベース体１１の固定面がドア下端面方向、すなわち上を向くように回動させる。これによりフラップ受部１０を横から見たときに磁石１７の吸着面と固定面１１ｂとが対向する状態（図４ｂ）、すなわち、固定面１１ｂが上で吸着面が下となる状態で、図６ｂのようにドア３の下端面（底面）３ａに固定される。
【００２９】
このように磁石１７の吸着面と固定面とが反対となった状態で、フラップ受部２０をドア３の下端面３ａである木口部分に木ねじ６を用いて取付け固定する。これによりフロア面５とドア下端面３ａとの間の隙間が大きくても、フラップ受部１０をフロア面５に接近した状態で取付けることができ、磁石の磁力を強力なものとすることなく、フラップ装置２０のフラップ２１が突出したときに磁石１７の傾斜角度で吸着することができ、吸着状態が安定してドア３を確実に停止させることができる。この場合も、前記のようにＸ方向にドア３を移動させると吸着状態を解除でき、Ｘ方向と反対方向にドア３を押すとフラップ２１の端面が急傾斜面に当接してドア３の回動を阻止する。
【００３０】
なお、図示していないが、フロア面とドアの下端面との間の隙間が、図６ｂの場合より大きい場合には、ドア下端面に所定の厚さのスペーサを当てて、スペーサを介してフラップ受部を固定することで、フラップを好ましい角度でフラップ受部に吸着させることができる。また、厚さの異なる複数のスペーサを用意して、異なる隙間の高さに合わせてフラップ受部を取付けると好ましい。
【００３１】
このように、ドア下端面３ａとフロア面５との間の隙間が異なる場合でも、フラップ受部１０の取付け位置を変更することによりドア下端面３ａまたは立面３ｂに取付けることができ、ドアストッパの汎用性を高めることができる。また、フラップ受部１０とフラップ装置２０とを接近した状態で取付けることができ、磁石の磁力を高めなくても通常の磁石で容易にフラップを吸着することができる。さらに、ドアストッパとしての機能が安定しており、ドア３を安定して固定することができる。
【００３２】
本発明の他の実施形態を図７に基づき詳細に説明する。図７は本発明に係るドアストッパを構成するフラップ受部の他の実施形態の分解斜視図である。なお、この実施形態は前記した実施形態に対し、フラップ受部は、ベース体とこのベース体に回動可能に支持される吸着部材との固定手段が異なることを特徴とする。そして、他の実質的に同等の構成については同じ符号を付して詳細な説明は省略する。
【００３３】
図７ａに示すフラップ受部１０Ａは、フラップを磁気的に吸着する吸着部材１５Ａには、回動中心である雌ねじ孔１５ｆが形成され、吸着部材１５Ａの両側面に対接するベース体１１Ａ，１１Ａには、皿ねじ孔が形成され、吸着部材１５Ａの両側面をベース体１１Ａ，１１Ａの立上り面で挟んで皿頭の固定ねじ１８で固定している。この例では、皿ねじ１８を緩めてベース体に対して吸着部材を回動させることができ、所望の回動位置に設定された後は皿ねじ１８を締めこんで保持固定する。そして、ベース体の取付け用の長孔１２，１２を用いて、ドアの立面あるいはドアの底面にフラップ受部１０Ａを取付ける。
【００３４】
図７ｂに示すフラップ受部１０Ｂは、フラップを磁気的に吸着する吸着部材１５Ｂには、回動中心である雌ねじ孔１５ｆが形成され、吸着部材１５Ｂの両側面に対接するベース体１１Ｂ，１１Ｂには、ねじ孔が形成され、吸着部材１５Ｂの両側面をベース体１１Ｂ，１１Ｂの立上り面で挟んで丸頭の固定ねじ１８Ａを用いて固定している。なお、固定ねじは六角頭の固定ねじ等を使用してもよい。
【００３５】
この吸着部材１５Ｂは、小型の直方体状の磁石１７Ａを半分埋め込んで固定している。そして、吸着部材の両側面には位置決め用の突条１５ｇが形成され、ベース体の立上り面にはこの突条が係合する凹溝１１ｄが９０度の間隔で４個所（図示は２個所）に形成されている。この例では、固定ねじ１８Ａを緩めてベース体に対して吸着部材を回動させることができ、所望の回動位置に設定するときに、突条１５ｇが凹溝１１ｄに係合するため設定が容易で、設定された後は固定ねじ１８Ａを締めこんで保持固定することができる。固定後にベース体の取付け用の長孔１２，１２を用いて、ドアの立面あるいはドアの底面にフラップ受部１０Ｂを取付ける。
【００３６】
図７ａ，ｂに示すフラップ受部１０Ａ，１０Ｂは、吸着部材１５Ａ，１５Ｂをベース体１１Ａ，１１Ｂに対して回動させるための回動中心となる支持軸を備えておらず、固定ねじ１８，１８Ａにより回動可能に支持している。このため、構成を簡略化することができ、組立てを容易にすることができる。なお、皿ねじや固定ねじをベース体にねじ込み、ねじの先端で吸着部材を回動可能に支持する構成でもよい。この場合は、ねじの先端に円柱軸部があると回動を円滑に行え好ましい。
【００３７】
本発明のさらに他の実施形態を図８に基づき詳細に説明する。図８は本発明に係るドアストッパを構成するフラップ受部のさらに他の実施形態の分解斜視図である。なお、この実施形態は、前記した実施形態のベース体が２つの部材で構成されるのに対し、フラップ受部は１つのベース体と、このベース体に回動可能に支持されフラップを磁気吸着する吸着部材の２つの部材から構成され、ベース体は２つの立上り壁部で吸着部材を挟んで支持することを特徴とする。そして、他の実質的に同等の構成については同じ符号を付して詳細な説明は省略する。
【００３８】
図８において、この実施形態に係るフラップ受部１０Ｃは、ベース体１１Ｃと吸着部材１５Ｃとから構成され、ベース体１１Ｃは吸着部材１５Ｃを挟んで支持する２つの壁部を有する１つの部材から構成されている。ベース体１１Ｃは略Ｌ字状の部材１３，１３を２本の連結柱１４，１４で連結した形状をしており、プラスチックや金属鋳物で形成されている。２つの部材１３，１３の対向する２つの立上り壁部で吸着部材１５Ｃを挟んで回動可能に支持する構成となっている。
【００３９】
吸着部材１５Ｃは、ベース体１１Ｃに装着されたとき９０度の角度で回動できるように、外周には円柱面と傾斜面とが形成されている。回動中心にはねじ孔１５ｆが形成されており、傾斜面１５ｈには磁石１７が固定されている。そして傾斜面１５ｈに連続して急傾斜面１５ｃが形成されている。磁石１７でフラップを磁気吸着したとき、フラップの突出端面が急傾斜面に当接してドアの回動を阻止するものである。
【００４０】
この実施形態においては、吸着部材１５Ｃを立上り壁部で挟んで皿頭の固定ねじ１８で固定するとき、フラップ受部１０Ｃのベース体１１Ｃを１つの主要な部材で構成しているため、２つのベース体が回動中心を中心として別々に旋回することが防止され、ドアへの取付け作業が容易となるメリットを有している。
【００４１】
なお、ドアを固定するフラップは磁石の表面で磁気吸着される例を示したが、図９の説明図に示される吸着部材１５Ｄのように、磁石１７Ｂの各磁極に鉄等の強磁性体の板材１９，１９を吸着させ、２つの板材でフラップ２１を吸着するように構成してもよい。このように構成すると、フラップ２１を吸着したときに板材１９，１９を通して磁路が閉じるため、フラップ２１をより強力に吸着保持することができる。また、吸着部材を例えばフェライト粉を含有するプラスチックで形成し、磁化することにより磁石を省略するように構成してもよい。
【００４２】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、フラップ受部の吸着面は平坦な傾斜面とした例を示したが、平坦面に限られるものでない。
【００４３】
フラップ受部を構成する２つのベース体は、金属板材をＬ字状に屈曲した部材で構成してもよい。磁石としてフェライト磁石の例を示したが、希土類金属を使用した他の磁石でもよい。フラップ受部への磁石の固定は接着に限られず、ねじによる固定や嵌め込み等による固定でもよい。
【００４４】
フラップ装置のフラップ自身を例えば薄型の磁石で構成し、フラップ受部に鉄片等の強磁性体を固定してフラップを磁気的に吸着する構成でもよい。また、フラップの裏面に薄型の磁石を固定し、この磁石と吸引するような磁極を有する磁石をフラップ受部に固定して、両磁石を吸着させる構成でもよい。
【図面の簡単な説明】
【００４５】
【図１】本発明に係るドアストッパの取付け状態を示す概略平面図。
【図２】本発明に係るドアストッパの一実施形態のフラップ受部を示し、（ａ）は正面図、（ｂ）は（ａ）のＡ−Ａ線断面図、（ｃ）は（ａ）のＢ−Ｂ線断面図。
【図３】図２のフラップ受部の分解斜視図。
【図４】図２，３に示すフラップ受部のベース部を回動させた状態を示し、（ａ）はドア立面への取付け状態、（ｂ）はドア下端面への取付け状態の斜視図。
【図５】本発明に係るドアストッパの一実施形態のフラップ装置を示し、（ａ）は正面図、（ｂ）は（ａ）のＣ−Ｃ線断面図、（ｃ）は（ａ）のＤ−Ｄ線断面図、（ｄ）はフラップの変更例を示す斜視図。
【図６】図１〜５に示すドアストッパの動作状態を示し、（ａ）は隙間の小さい状態の断面図、（ｂ）は隙間の大きい状態の断面図。
【図７】（ａ）、（ｂ）はそれぞれ本発明に係るドアストッパの他の実施形態のフラップ受部を示す一部を分解した斜視図。
【図８】本発明に係るドアストッパのフラップ受部のさらに他の実施形態を示す分解状態の斜視図。
【図９】フラップを磁気吸着する構造の他の例を示す説明図。
【符号の説明】
【００４６】
１：ドアストッパ、３：ドア、３ａ：ドア下端面（底面）、３ｂ：ドア立面、１０，１０Ａ，１０Ｂ：フラップ受部、１１，１１Ａ，１１Ｂ，１１Ｃ：ベース体、１５，１５Ａ，１５Ｂ，１５Ｃ，１５Ｄ：吸着部材、１５ａ：中心孔、１５ｂ：凹傾斜面、１５ｃ：急傾斜面，１５ｄ，１５ｅ：規制面、１６：支持軸、１７，１７Ａ，１７Ｂ：磁石、１８，１８Ａ：固定ねじ（回動中心）、２０：フラップ装置、２１：フラップ、２２：基板
【図１】
2005200856.tif 000003
【図２】
2005200856.tif 000004
【図３】
2005200856.tif 000005
【図４】
2005200856.tif 000006
【図５】
2005200856.tif 000007
【図６】
2005200856.tif 000008
【図７】
2005200856.tif 000009
【図８】
2005200856.tif 000010
【図９】
2005200856.tif 000011